(57)【要約】      （修正有）【課題】家庭用薄葉紙の充填が容易な家庭用薄葉紙収納容器を提供する。【解決手段】上部に開口部１０ａが設けられ、家庭用薄葉紙Ｐを内部に収納する容器本体１０と、開口部を開閉させる蓋部２０と、を備える家庭用薄葉紙収納容器１００であって、取り出し端部が開口した家庭用薄葉紙の包装体Ｂの開口縁部を挟持する挟持部材５０を、容器本体の開口部の内側に設けた。【選択図】図３
2015193411.tif 000002
【特許請求の範囲】
【請求項１】
上部に開口部が設けられ、家庭用薄葉紙を内部に収納する容器本体と、前記開口部を開閉させる蓋部と、を備える家庭用薄葉紙収納容器であって、
取り出し端部が開口した前記家庭用薄葉紙の包装体の開口縁部を挟持する挟持部材を、前記容器本体の開口部の内側に設けたことを特徴とする家庭用薄葉紙収納容器。
【請求項２】
前記挟持部材は、回動により下端部側が開閉して前記包装体の開口縁部を挟持することを特徴とする請求項１記載の家庭用薄葉紙収納容器。
【請求項３】
前記挟持部材には、複数枚のシート材が剥離可能に積層されたシート部が備えられ、
前記複数枚のシート材の各々は、
香料を揮散させる芳香フィルム層と、
前記芳香フィルム層の表面側に配され、前記芳香フィルム層の香料を透過させる表面フィルム層と、
前記芳香フィルム層の裏面側に配される剥離フィルム層と、
を備えることを特徴とする請求項１又は２記載の家庭用薄葉紙収納容器。
【請求項４】
前記挟持部材が前記包装体の開口縁部を挟持したときに、前記シート部が前記包装体の内側となるように、前記シート部を前記挟持部材に配置したことを特徴とする請求項３記載の家庭用薄葉紙収納容器。
【請求項５】
前記家庭用薄葉紙には、水分が含有され、
前記芳香フィルム層における香料は、水分と反応して溶解する物質にて包括されていることを特徴とする請求項３又は４に記載の家庭用薄葉紙収納容器。
【発明の詳細な説明】
【技術分野】
【０００１】
本発明は、家庭用薄葉紙収納容器に関する。
【背景技術】
【０００２】
従来より、トイレの壁や床及び便器等のトイレ空間の拭き掃除に用いられるトイレクリーナー等の家庭用薄葉紙を収納する家庭用薄葉紙収納容器が知られている。家庭用薄葉紙収納容器は、家庭用薄葉紙を収納する容器本体と、容器本体の開口部を塞ぐための蓋部とを備え、当該蓋部を開けることにより、収納されている家庭用薄葉紙を容器本体の開口部から取り出すことができるようになっている（例えば、特許文献１参照）。
また、この家庭用薄葉紙収納容器は、上部が開口した筐体内に、紙面が起立した状態で家庭用薄葉紙を重ねて収容することにより、家庭用薄葉紙がしなって取り出しにくくなることを防止していた。また、この筐体は容器本体の内部に格納され、当該筐体と蓋部とを連結して、蓋部を開くと筐体に収容された家庭用薄葉紙が斜め上前方に繰り出され、家庭用薄葉紙の取り出しを容易にする構造が施されていた。
【０００３】
ところで、近年、家庭用薄葉紙が香りを発するようにした製品が普及している。香り付き家庭用薄葉紙は、継続的にほのかに香るものが使用者に好まれる傾向にあり、使用開始から使用終了まで安定して香りが発せられるものが求められている。
【先行技術文献】
【特許文献】
【０００４】
【特許文献１】特開２０１０−２２８７６６号公報
【発明の概要】
【発明が解決しようとする課題】
【０００５】
上記従来の家庭用薄葉紙収納容器は、空になると筐体に家庭用薄葉紙を充填しなければならないが、筐体は容器本体の内側に格納されているので、家庭用薄葉紙の充填作業が非常に煩雑になるという問題があった。
【０００６】
また、上記従来の家庭用薄葉紙収納容器では、香りを発する家庭用薄葉紙を収納している場合、蓋部を何度も開閉することで香料が蒸散し、香りが徐々に薄まってしまうという問題があった。
【０００７】
本発明の目的は、家庭用薄葉紙の充填が容易な家庭用薄葉紙収納容器を提供することである。
【課題を解決するための手段】
【０００８】
以上の課題を解決するため、
請求項１に記載の発明は、
上部に開口部が設けられ、家庭用薄葉紙を内部に収納する容器本体と、前記開口部を開閉させる蓋部と、を備える家庭用薄葉紙収納容器であって、
取り出し端部が開口した前記家庭用薄葉紙の包装体の開口縁部を挟持する挟持部材を、前記容器本体の開口部の内側に設けたことを特徴とする。
【０００９】
また、請求項２に記載の発明は、請求項１に記載の家庭用薄葉紙収納容器において、
前記挟持部材は、回動により下端部側が開閉して前記包装体の開口縁部を挟持することを特徴とする。
【００１０】
また、請求項３に記載の発明は、請求項１又は２に記載の家庭用薄葉紙収納容器において、
前記挟持部材には、複数枚のシート材が剥離可能に積層されたシート部が備えられ、
前記複数枚のシート材の各々は、
香料を揮散させる芳香フィルム層と、
前記芳香フィルム層の表面側に配され、前記芳香フィルム層の香料を透過させる表面フィルム層と、
前記芳香フィルム層の裏面側に配される剥離フィルム層と、
を備えることを特徴とする。
【００１１】
また、請求項４に記載の発明は、請求項３記載の家庭用薄葉紙収納容器において、
前記挟持部材が前記包装体の開口縁部を挟持したときに、前記シート部が前記包装体の内側となるように、前記シート部を前記挟持部材に配置したことを特徴とする。
【００１２】
また、請求項５に記載の発明は、請求項３又は４に記載の家庭用薄葉紙収納箱において、
前記家庭用薄葉紙には、水分が含有され、
前記芳香フィルム層における香料は、水分と反応して溶解する物質にて包括されていることを特徴とする。
【発明の効果】
【００１３】
本発明によれば、家庭用薄葉紙の充填が容易な家庭用薄葉紙収納容器を提供することができる。
【図面の簡単な説明】
【００１４】
【図１】本発明の一実施形態に係る家庭用薄葉紙収納容器の斜視図である。
【図２】図１の家庭用薄葉紙収納容器の蓋部が開けられた状態を示す斜視図である。
【図３】図２のIII-III線における断面図である。
【図４】図４（Ａ）は家庭用薄葉紙の包装体の斜視図、図４（Ｂ）は開封した状態の斜視図である。
【図５】挟持部材の分解斜視図である。
【図６】シート部の拡大断面図である。
【図７】シート部の使用方法を説明するための図である。
【図８】挟持部材の他の例を示す斜視図である。
【図９】挟持部材の配置の例を示す容器本体の一部構成を省略した平面図である。
【発明を実施するための形態】
【００１５】
以下、図を参照して、本発明の実施の形態を詳細に説明する。ただし、発明の範囲は、図示例に限定されない。
【００１６】
［家庭用薄葉紙収納容器の概要］
図１に示すように、本実施形態における家庭用薄葉紙収納容器１００は、容器本体１０に対し蓋部２０が閉じられた状態で、内部にウェットシートやウェットティッシュなどのウェットタイプの家庭用薄葉紙Ｐ（図３参照）を収容する筐体状の容器である。
なお、容器本体１０の平面視において長方形状であり、その長辺に沿った方向を左右方向、短辺に沿った方向を前後方向、これらに直交する方向上下方向として以下の説明を行う。
【００１７】
容器本体１０と蓋部２０としては、例えば、ＰＰ（ポリプロピレン）、ＰＥ（ポリエチレン）、ＰＥＴ（ポリエチレンテレフタレート）、ＡＢＳ（アクリロニトリル・ブタジエン・スチレン）、ＰＰとＰＥの混合体などの樹脂が用いられ、ブロー成形、射出成形（コールドランナー、ホットランナー）など一般的な製造方法によって成形される。
【００１８】
［容器本体］
図２に示すように、容器本体１０は、上部に開口部１０ａが設けられ、前面部１０ｂ、後面部１０ｃ、一対の側面部１０ｄ，１０ｄ、及び底部１０ｅを備えている。そして、前面部１０ｂと後面部１０ｃとが対向し、一対の側面部１０ｄ，１０ｄ同士が対向するように配置され、これらが形成する矩形の筒体の一端面を塞ぐように底部１０ｅが配置され、家庭用薄葉紙Ｐを収納するための空間が形成されている。
【００１９】
［蓋部］
図３に示すように、蓋部２０は、容器本体１０の底部１０ｅとほぼ同寸の矩形の天板とその四辺から立ち上げられた四つの側壁からなる深みのある皿状を呈している。そして、蓋部２０は、その開口部を下方に向けた状態で容器本体１０の後面部１０ｃ側に回動可能に備えられ、開口部１０ａを開閉させる。
【００２０】
［ヒンジ機構部］
具体的に、容器本体１０の後面部１０ｃの開口部１０ａ近傍には、容器ヒンジ部１１が形成されており、蓋部２０の後面側には、蓋ヒンジ部２１が形成されている。
この容器ヒンジ部１１の軸穴（図示省略）に蓋ヒンジ部２１の軸突起（図示省略）を係入して、容器ヒンジ部１１と蓋ヒンジ部２１とを取り付けることによって、容器ヒンジ部１１と蓋ヒンジ部２１とが連結されてなるヒンジ機構部Ｈが構成される。そして、このヒンジ機構部Ｈを介して、蓋部２０が容器本体１０に対して回動可能に軸支されている。
【００２１】
また、蓋ヒンジ部２１には、ねじりコイルばね（図示省略）が装着されている。ねじりコイルばねは、蓋部２０を容器本体１０から離間させる方向に付勢しており、ねじりコイルばねによって、蓋部２０がヒンジ機構部Ｈの軸心周りに回動するように押し上げられることで、蓋部２０が開くようになっている。反対に、ねじりコイルばねの付勢力に抗して、蓋部２０をヒンジ機構部Ｈの軸心周りに回動するように押さえ付けることで、蓋部２０を閉じることができる。
【００２２】
［係合部及び係止部］
また、容器本体１０の開口部１０ａの周縁部には、蓋部２０が閉じられた際に、蓋部２０の周縁部２２が嵌入する溝部１２が形成されている（図３参照）。また、容器本体１０の前面部１０ｂの開口部１０ａ近傍には、係合部１３が形成されており、蓋部２０の前面側には、係合部１３と係合可能な係止部２３が形成されている（図２、図３参照）。係合部１３は、長尺な平板であって係止部２３が嵌合する矩形の切り欠きが形成されると共に容器本体１０の前面部１０ｂの開口部１０ａ近傍において左右方向に沿った軸回りに回動可能に支持されている。
そして、蓋部２０を閉動作させ、蓋部２０の周縁部２２を溝部１２に嵌入させて、容器本体１０側の係合部１３（図２参照）の切り欠きと蓋部２０側の係止部２３（図２参照）とを係合させることにより、係合部１３の切り欠きの内側面と係止部２３の平面とが互いに密接した状態となって蓋部２０が開かないようロックされ、蓋部２０によって開口部１０ａが塞がれた状態で、蓋部２０が容器本体１０側に保持されるようになっている。
【００２３】
また、容器本体１０の前面部１０ｂの外面側であって開口部１０ａ近傍には、前方に突出する挟持部１４が備えられており、挟持部１４には、係合解除部材１５がその配置を変更可能に軸支されて配設されている。係合解除部材１５と挟持部１４とを挟持すると、係合解除部材１５の一端部が挟持部１４に近接する方向に揺動する。すると、係合解除部材１５の他端部が蓋部２０の押上突起２４を押し上げて、係止部２３と係合部１３の係合が解除されることとなる。これにより、蓋部２０がねじりコイルばねの付勢力によって押し上げられて開動作し、蓋部２０が開くようになっている。
【００２４】
［容器本体の底部］
また、容器本体１０の底部１０ｅは、容器本体１０の前面部１０ｂ側から後面部１０ｃ側に向かって下方に傾斜しており、その底部１０ｅには、左右方向に延在する複数の突部１０ｆが平行に形成されている。
底部１０ｅの傾斜角度は、１０°〜２０°程度が好ましい。また、突部１０ｆは、１〜４ｍｍ程度の高さを有する突状体であり、前後方向に５〜１５ｍｍの間隔で形成されている。
このように、容器本体１０の底部１０ｅが、容器本体１０の前面部１０ｂ側から後面部１０ｃ側に向かって下方に傾斜するように形成されるとともに、底部１０ｅに左右方向の突部１０ｆが複数形成されることで、容器本体１０の内部に前後方向に積層されるように収納された家庭用薄葉紙Ｐが、載置面である底部１０ｅの傾斜に沿って、容器本体１０の後面部１０ｃに寄り掛かるように斜めに収納されるようになっている。
【００２５】
［包装体］
家庭用薄葉紙Ｐは、図４（Ａ）に示すように、所定枚数が積層された状態で袋状の包装体Ｂに封入されている。この包装体Ｂは、防水性、遮光性等を備えた樹脂、アルミ箔等からなる筒状のラミネートシートからなり、その内側に積層状態の家庭用薄葉紙Ｐを収容し、その両端部を溶着或いは接着等によって塞ぎ、内部の密閉性を保った状態で家庭用薄葉紙Ｐを保存可能としている。
そして、家庭用薄葉紙Ｐの使用時には、図４（Ｂ）に示すように、包装体Ｂの一端部に形成された切れ目Ｂ１から包装体Ｂの長手方向に沿ってその一部を切除することにより、包装体Ｂを開封することができる。そして、かかる切除により積層状態の複数の家庭用薄葉紙Ｐの一端部を外部に露出させる開口縁部Ｂ２が形成される。つまり、この開口縁部Ｂ２側が包装体Ｂにおける家庭用薄葉紙Ｐの取り出し端部Ｂ３となる。
各家庭用薄葉紙Ｐは、開口縁部Ｂ２を上に向けた状態で包装体Ｂごと家庭用薄葉紙収納容器１００の容器本体１０内に格納される。
【００２６】
［挟持部材］
容器本体１０の後面部１０ｃの内面における開口部１０ａの近傍には、上記包装体Ｂの開口縁部Ｂ２を挟持する挟持部材５０が装備されている。
この挟持部材５０は、図２、図３及び図５に示すように、後面部１０ｃの内面側に装着される長尺平板からなる基部５１と、基部５１に対して左右方向に沿った軸回りに回動可能に支持された長尺平板からなる回動部５２と、基部５１と回動部５２とを回動可能に連結するヒンジ部とを備えている。
【００２７】
基部５１は、その長手方向を左右方向に向け、その平板面を後面部１０ｃの平面に沿わせた状態で当該後面部１０ｃに取り付けられている。基部５１の取り付けは、接着、溶着、樹脂リベット等、家庭用薄葉紙収納容器１００の内部の密閉性を損なわないいずれの方法を用いても良い。
回動部５２は基部５１とほぼ等しい大きさの平板であり、その長手方向を左右方向に向けて基部５１に支持されている。そして、基部５１と回動部５２の相互の対向面の間で包装体Ｂの開口縁部Ｂ２を挟持する。
ヒンジ部は、基部５１の上縁部の左右両端部に設けられた二つの凸条５１１，５１１と、当該凸条５１１，５１１の内側の端面に形成された有底穴５１２（一方は図示略）と、回動部５２の上縁部の左右方向中央部に設けられた凸条５２１と、凸条５２１の両端部から突出した軸部５２２，５２２とから構成されている。そして、基部５１の凸条５１１，５１１の間に回動部５２の凸条５２１を配置して、凸条５２１の軸部５２２，５２２を各凸条５１１，５１１の有底穴５１２に挿入することにより基部５１と回動部５２とが連結されている。これにより回動部５２は基部５１に対して軸部５２２，５２２を中心として回動可能に連結される。
また、回動部５２の軸部５２２には、図示しないねじりコイルばねが取り付けられており、回動部５２の回動端部が基部５１側に圧接する方向に加圧されている。
また、挟持部材５０は、回動部５２の回動端部が下方に向けられて基部５１に取り付けられており、回動部５２の回動により挟持部材５０の下端部側が開閉して包装体Ｂの開口縁部Ｂ２を上から挟持することを可能としている。
【００２８】
［芳香シート］
図３及び図５に示すように、挟持部材５０の回動部５２の外側平面（基部５１との対向面とは逆側の面）には、シート部としての芳香シート４０が備えられている。
芳香シート４０は、挟持部材５０の回動部５２よりも一回り小さい矩形状を呈しその長手方向を左右方向に沿わせた状態で回動部５２に貼着されている。なお、芳香シート４０は、必ずしも矩形である必要はなく、例えば、楕円形等の形状に形成しても良いのは勿論である。
【００２９】
以下、芳香シート４０の構成について詳細に説明する。
芳香シート４０は、複数枚のシート材３０・・・が積層されて構成されている。
ここでは、図６に示すように、芳香シート４０として、２枚のシート材（第１シート材３０ａ、第２シート材３０ｂ）が積層された構成を例示する。また、第１シート材３０ａが表面側に位置していることとする。
【００３０】
第１シート材３０ａは、表面フィルム層３１、芳香フィルム層３２、及び剥離フィルム層３３が、接着されて一体化された構成である。
なお、第１シート材３０ａは、挟持部材５０の下端部側が開閉して包装体Ｂの開口縁部Ｂ２を上から挟持することにより、回動部５２の外側面に設けられた芳香シート４０の表面フィルム層３１が、包装体Ｂの内部の家庭用薄葉紙Ｐに対向し、剥離フィルム層３３が、第２シート材３０ｂに対向するように配されている。
【００３１】
表面フィルム層３１は、例えば、ポリエチレン、ポリスチレン、ポリプロピレン、ポリカーボネート等の樹脂からなる基材３１１に、複数の孔部３１２が形成された構成である。
【００３２】
芳香フィルム層３２は、例えば、スチレンブロックとジエンブロックを有するゴム質ブロック共重合体などの樹脂からなる基材に、任意の香料が付与された構成である。
【００３３】
香料は、既知の香料を用いることができ、特に限定されるものではないが、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を上げることができる。市販品を使用することもできる。
【００３４】
このような香料は、例えば液体状とされて基材に塗布される。香料を基材に塗布する方法としては、ロールコート、グラビア印刷、スキージコート、スプレイ等により行うことができる。
また、このような香料を、例えば、シクロデキストリンに包接させて保護し、家庭用薄葉紙Ｐから蒸発する水分と反応させてシクロデキストリンに包接された香料が徐々に放出する構成とすることも好ましい。
なお、シクロデキストリンの他、オブラート、ＰＶＡシート、カプセル等の水分に反応する物質を用いることができる。
なお、上記の記載は、香料を水分に反応する物質で包括することに限定する趣旨ではないことは言うまでも無い。香料の放出量が適正な範囲であれば香料は水分に反応する物質で包括しなくとも良い。
【００３５】
剥離フィルム層３３は、ポリエチレンテレフタレート、ポリ塩化ビニリデンなどの樹脂からなる基材に、例えば、天然ゴム系粘着剤、天然ゴムラッテクス系粘着剤、アクリル系粘着剤、ホットメルト粘着剤等の粘着材や、ポリエステル系接着剤等の接着剤を用いた接着面を形成した構成である。
【００３６】
このような第１シート材３０ａは、芳香フィルム層３２に付与された香料が、表面フィルム層３１の複数の孔部３１２から徐々に放出されるようになっている。
また、第１シート材３０ａは、剥離フィルム層３３により、第２シート材３０ｂに対して剥離可能に貼着される。
【００３７】
また、第２シート材３０ｂも、第１シート材３０ａと同様に、表面フィルム層３１、芳香フィルム層３２、及び剥離フィルム層３３が、接着されて一体化された構成である。
なお、第２シート材３０ｂは、表面フィルム層３１が第１シート材３０ａに対向し、剥離フィルム層３３が挟持部材５０の回動部５２の外側面に対向するように配されている。
【００３８】
そして、第２シート材３０ｂも、第１シート材３０ａと同様に、芳香フィルム層３２に付与された香料が、表面フィルム層３１の複数の孔部３１２から徐々に放出可能に構成されており、剥離フィルム層３３により、挟持部材５０の回動部５２の外側面に対して剥離可能に貼着される。
【００３９】
［家庭用薄葉紙収納容器の作用］
次に、家庭用薄葉紙収納容器１００の作用について説明する。
上記した構成の家庭用薄葉紙収納容器１００では、まず、包装体Ｂの一部を切れ目Ｂ１から切除して開口縁部Ｂ２から内部の複数の家庭用薄葉紙Ｐを露出させた状態で、容器本体１０内に収容する。
そして、挟持部材５０の回動部５２をねじりコイルばねに抗して開き、包装体Ｂの開口縁部Ｂ２を挟持する。
その後、蓋部２０を閉じると、挟持部材５０に貼られた芳香シート４０から徐々に香りが放出される。
具体的には、芳香シート４０の第１シート材３０ａにおいて、芳香フィルム層３２に付与された香料が、表面フィルム層３１の複数の孔部３１２から徐々に放出される。
これにより、家庭用薄葉紙収納容器１００に収納される家庭用薄葉紙Ｐに、徐々に香りが付与されることとなる。
よって、使用時に部屋に香りが充満することなく、家庭用薄葉紙収納容器１００の内部においては大きな空気の出入りがないため、香りの持続性を向上させることができる。
【００４０】
また、上記した構成の家庭用薄葉紙収納容器１００では、使用開始後、蓋部２０が何度も開閉されるに従って、香りが薄まっていく。
その場合、図７に示すように、芳香シート４０の第１シート材３０ａを剥がし、第２シート材３０ｂを露出させる。
具体的には、第１シート材３０ａの剥離フィルム層３３を、第２シート材３０ｂの表面フィルム層３１から剥離させ、第１シート材３０ａを剥がすと共に第２シート材３０ｂを露出させる。
すると、芳香シート４０の第２シート材３０ｂにおいて、芳香フィルム層３２に付与された香料が、表面フィルム層３１の複数の孔部３１２から放出されることとなる。
これにより、芳香シート４０から放出させる香りの強さを持続させることができる。
また、芳香シート４０は、全てのシート材を使用した後、新たな芳香シート４０に貼り替えることができる。即ち、第２シート材３０ｂの剥離フィルム層３３を、挟持部材５０の回動部５２の外側面から剥離させ、使用済みの第２シート材３０ｂを容器本体１０から除去した後、新たな芳香シート４０を容器本体１０の壁面に設けられた挟持部材５０の回動部５２の外側平面に貼り付ける。
【００４１】
［家庭用薄葉紙収納容器の技術的効果］
以上のように、家庭用薄葉紙収納容器１００では、家庭用薄葉紙Ｐの包装体Ｂの開口縁部Ｂ２を挟持する挟持部材５０を容器本体１０の後面部１０ｃの開口部１０ａ近傍の内側に設けたので、家庭用薄葉紙Ｐを包装体Ｂごと容器本体１０の内部に格納した場合でも、容器本体１０内部で包装体Ｂの形状を維持することができ、さらに、包装体Ｂが各家庭用薄葉紙Ｐの起立状態を維持することを可能とする。従って、家庭用薄葉紙Ｐの取り出しをより円滑に行うことが可能となる。
また、家庭用薄葉紙Ｐの包装体Ｂをそのまま容器本体１０の内部に格納することができるので、容器本体１０に家庭用薄葉紙Ｐを充填する作業を容易に行うことが可能となる。
さらに、家庭用薄葉紙Ｐの包装体Ｂをそのまま容器本体１０の内部に格納することができるので、充填作業時に家庭用薄葉紙Ｐが人の手に触れることがなく、衛生的にも優れている。
【００４２】
また、家庭用薄葉紙収納容器１００の挟持部材５０は、回動部５２の回動端部が下方を向いた状態で基部５１に装備され、回動部５２の回動により回動端部（下端部）側が開閉して包装体Ｂの開口縁部Ｂ２を挟持する構造となっている。
このため、取り出し端部Ｂ３を上方に向けて容器本体１０内に格納された包装体Ｂを起立した状態で支持することができ、各家庭用薄葉紙Ｐの起立姿勢を安定的に保持し、取り出しの容性を向上させることが可能である。
【００４３】
また、家庭用薄葉紙収納容器１００の挟持部材５０の回動部５２の外側面には、二枚のシート材３０ａ，３０ｂが剥離可能に積層された芳香シート４０部が備えられ、各シート材３０ａ，３０ｂは外側から順番に表面フィルム層３１と芳香フィルム層３２と剥離フィルム層３３が形成されている。
このため、使用開始後、蓋部２０が何度も開閉されるに従って香りが薄まった場合、芳香シート４０の第１シート材３０ａを剥離して、第２シート材３０ｂを露出させることができ、使用開始から使用終了まで、継続的に安定した香りの強さを発現させることができる。
【００４４】
また、各シート材３０ａ，３０ｂの表面フィルム層３１は、基材３１１に複数の孔部３１２が形成されて成る。
このため、表面フィルム層３１で芳香フィルム層３２を保護しつつ、香料を徐々に揮散させることができる。
【００４５】
また、家庭用薄葉紙収納容器１００では、格納する家庭用薄葉紙Ｐに水分が含有され、各シート材３０ａ，３０ｂの芳香フィルム層３２における香料は、水分と反応して溶解する物質にて包括されている。
このため、徐々に香料が揮散されることとなり、より香りの持続性を高めることができる。
【００４６】
特に、芳香シート４０を、挟持部材５０が包装体Ｂの開口縁部Ｂ２を挟持したときに、当該包装体Ｂの内側となるように回動部５２の外側面に配置したので、家庭用薄葉紙Ｐが使い果たされるまで芳香フィルム層３２への水分の供給が良好に行われ、さらに香りの持続性を高めることが可能となる。
【００４７】
［その他］
なお、上記家庭用薄葉紙収納容器１００では、容器本体１０に対して挟持部材５０を別部材から形成した場合を例示したがこれに限定されない。
例えば、図８に示すように、容器本体１０の後面部１０ｃの開口部１０ａの近傍であって左右方向の中央部に、容器本体１０と一体的に挟持部材５０Ａを設けても良い。この挟持部材５０Ａはその一端部が後面部１０ｃの内側面と一体化しており、他端部は下方に向かって延出されている。また、挟持部材５０Ａの下端部は、後面部１０ｃの内側面に圧接するか或いは少なくとも包装体Ｂの開口縁部Ｂ２の厚さよりも狭い隙間が生じた状態で形成され、挟持部材５０Ａの素材の弾性を利用して包装体Ｂの開口縁部Ｂ２の挟持を可能とする。
【００４８】
また、挟持部材５０又は５０Ａの配置は、容器本体１０の後面部１０ｃに限定されない。例えば、図９に示すように、二つの側面部１０ｄ，１０ｄのいずれ一方或いは前面部１０ｂにおける開口部１０ａの近傍の内側面に設けても良い。
また、前面部１０ｂ、後面部１０ｃ、二つの側面部１０ｄ，１０ｄのいずれか二以上の箇所に挟持部材５０又は５０Ａを設けても良い。
【００４９】
また、上記実施形態においては、芳香シート４０は、２枚のシート材（第１シート材３０ａ、第２シート材３０ｂ）からなる構成を例示して説明したが、３枚以上であっても良いのは勿論である。
【００５０】
また、複数枚のシート材（上記実施形態では、第１シート材３０ａ、第２シート材３０ｂ）における芳香フィルム層３２は、互いに異なる香料が付与されていることとしても良い。また、３枚以上のシート材を備えた場合、３つの芳香フィルム層３２のうち少なくとも一つを、他の芳香フィルム層３２と異なる香料が付与されたものとすることができる。
この場合には、シート材を剥離すると新たな香りは発せられるため、香りのバリエーションを楽しむことができることとなる。
さらに、シート材の中に、消臭機能を備えたものを加えることも可能である。
【００５１】
また、芳香シート４０は、香りつきのシート材を剥離可能に複数枚積層された構成であれば良く、シート材の構成は上記したものに限定されない。
また、家庭用薄葉紙収納容器１００の構成は、上記したものに限定されない。
例えば、家庭用薄葉紙収納容器１００は、容器本体１０と蓋部２０とを備えていれば良く、その形状は矩形に限らず任意である。
また、容器本体が有底円筒形のボトルタイプの容器や、蓋部がスライドするタイプの容器等で有っても良い。
また、家庭用薄葉紙Ｐは、水分を含有しないドライタイプのものであっても良い。
【符号の説明】
【００５２】
１０  容器本体
１０ａ  開口部
２０  蓋部
３０  シート材
３０ａ，３０ｂ  シート材
３１  表面フィルム層
３２  芳香フィルム層
３３  剥離フィルム層
４０  芳香シート(シート部)
５０，５０Ａ  挟持部材
５１  基部
５２  回動部
１００  家庭用薄葉紙収納容器
３１１  基材
３１２  孔部
Ｂ  包装体
Ｂ２  開口縁部
Ｂ３  取り出し端部
Ｐ  家庭用薄葉紙
【図１】
2015193411.tif 000003
【図２】
2015193411.tif 000004
【図３】
2015193411.tif 000005
【図４】
2015193411.tif 000006
【図５】
2015193411.tif 000007
【図６】
2015193411.tif 000008
【図７】
2015193411.tif 000009
【図８】
2015193411.tif 000010
【図９】
2015193411.tif 000011